(57)【特許請求の範囲】
【請求項１】
内周面の母線に沿ってカム溝を形成した外筒と、この外筒に回動可能に嵌合し、その外周面の少なくとも一つの母線に沿って半径方向に深い収納溝を形成した内筒と、この内筒の母線に沿って延在する細長くて厚い板状体で、内筒の収納溝に半径方向に移動可能に収納されると共に外方に付勢され、外側端縁が上記カム溝と係合可能に成形されたロッキングバーとを有し、このロッキングバーの長さ方向に沿う複数箇所に、所定の間隔で、ロッキングバーを厚さ方向に貫通する磁石保持穴を形成し、一方、内筒に、収納溝に近接して軸線に平行な鍵孔を形成し、また、収納溝に関し鍵孔とは反対側における内筒部分に、夫々磁石保持穴と整合して連通する有底の退避穴を形成し、この磁石保持穴及び退避穴の組の夫々に、ロッキングバーの厚さ方向に着磁され、磁石保持穴及び退避穴の間に形成されたシアーラインを跨ぐ磁石タンブラーピンと、これをロッキングバー方向に付勢するタンブラーばねとを嵌挿し、他方、鍵孔に挿入されたとき磁石タンブラーピンと整合する合鍵の部分に、磁石タンブラーピンと同方向に着磁され、磁石タンブラーピンとは同極で対峙する磁石ピンを埋設したことを特徴とする磁石ピンシリンダ錠。
【請求項２】
内周面の母線に沿ってカム溝を形成した外筒と、この外筒に回動可能に嵌合し、その外周面の少なくとも一つの母線に沿って半径方向に深い収納溝を形成した内筒と、この内筒の母線に沿って延在する細長くて厚い板状体で、内筒の収納溝に半径方向に移動可能に収納されると共に外方に付勢され、外側端縁が上記カム溝と係合可能に成形されたロッキングバーとを有し、このロッキングバーの長さ方向に沿う複数箇所に、所定の間隔で、ロッキングバーを厚さ方向に貫通する磁石保持穴を形成し、一方、内筒に、収納溝に近接して軸線に平行な鍵孔を形成し、また、収納溝に関し鍵孔とは反対側における内筒部分に、夫々磁石保持穴と整合して連通する有底の退避穴を形成し、この磁石保持穴及び退避穴の組の夫々に、ロッキングバーの厚さ方向に着磁され、磁石保持穴及び退避穴の間に形成されたシアーラインを跨ぐ磁石タンブラーピンと、これをロッキングバー方向に付勢するタンブラーばねとを嵌挿し、他方、鍵孔に挿入されたとき磁石タンブラーピンと整合する合鍵の部分に、磁石タンブラーピンと同方向に着磁され、磁石タンブラーピンとは同極で対峙する磁石ピンを埋設し、加えて、磁石保持穴及び退避穴の組の少なくとも一つに、ロッキングバーの厚さと同じ長さのアンチピッキング磁石、アンチピッキングピン及びこれらをロッキングバー方向に付勢するアンチピッキングばねを嵌挿し、このアンチピッキング磁石に対応する合鍵の部分にダミー磁石を埋設したことを特徴とする磁石ピンシリンダ錠。
【発明の詳細な説明】
【技術分野】
【０００１】
この発明は、新規な磁石ピンシリンダ錠に係り、特に、構造が簡単で作動が確実な磁石ピンシリンダ錠に関する。
【背景技術】
【０００２】
所謂磁石タンブラー錠は、例えば下記特許文献１の第４図に示されているように、内筒１７においてその直径方向に延在すると共に同方向に移動可能に案内され、一端が外筒１９の係止溝２１に係合する方向に付勢された複数のタンブラー１６、１６を内筒の軸線方向に沿って列設する。
【０００３】
そして、各タンブラー１６に例えばタンブラーの長さ方向に着磁された少なくとも１個の永久磁石２２を埋設する。
【０００４】
そして、鍵孔に挿入される磁石鍵１４の所定の箇所に磁石鍵の厚さ方向に着磁された永久磁石１５を装着し、磁石鍵１４が鍵孔に挿入されたとき、永久磁石１５及び２２の間に作用する磁気吸引力及び反発力を利用して、全タンブラー１６、１６の一端を係止溝２１から引抜き、内筒１７を回動可能に解放することにより解錠する。
【特許文献１】特公平７−７８３５２号公報
【発明の開示】
【発明が解決しようとする課題】
【０００５】
上記した従来の磁石タンブラー錠は、内筒にその軸線に沿って複数のスロット、すなわち、タンブラーを収納、案内する間隙部を形成し、その中にタンブラーを支持、案内すると共に、各タンブラーに磁石を埋設しなければならず、構造が少し複雑である、等未だ改良の余地がある。
【０００６】
そこで、この発明は、構造が簡単で作動が確実である新規な磁石ピンシリンダ錠を提供することを目的としている。
【課題を解決するための手段】
【０００７】
上記の目的を達成するため、請求項１に記載の発明は、内周面の母線に沿ってカム溝を形成した外筒と、この外筒に回動可能に嵌合し、その外周面の少なくとも一つの母線に沿って半径方向に深い収納溝を形成した内筒と、この内筒の母線に沿って延在する細長くて厚い板状体で、内筒の収納溝に半径方向に移動可能に収納されると共に外方に付勢され、外側端縁が上記カム溝と係合可能に成形されたロッキングバーとを有し、このロッキングバーの長さ方向に沿う複数箇所に、所定の間隔で、ロッキングバーを厚さ方向に貫通する磁石保持穴を形成し、一方、内筒に、収納溝に近接して軸線に平行な鍵孔を形成し、また、収納溝に関し鍵孔とは反対側における内筒部分に、夫々磁石保持穴と整合して連通する有底の退避穴を形成し、この磁石保持穴及び退避穴の組の夫々に、ロッキングバーの厚さ方向に着磁され、磁石保持穴及び退避穴の間に形成されたシアーラインを跨ぐ磁石タンブラーピンと、これをロッキングバー方向に付勢するタンブラーばねとを嵌挿し、他方、鍵孔に挿入されたとき磁石タンブラーピンと整合する合鍵の部分に、磁石タンブラーピンと同方向に着磁され、磁石タンブラーピンとは同極で対峙する磁石ピンを埋設したことを特徴とする。
【０００８】
また、請求項２に記載の発明は、内周面の母線に沿ってカム溝を形成した外筒と、この外筒に回動可能に嵌合し、その外周面の少なくとも一つの母線に沿って半径方向に深い収納溝を形成した内筒と、この内筒の母線に沿って延在する細長くて厚い板状体で、内筒の収納溝に半径方向に移動可能に収納されると共に外方に付勢され、外側端縁が上記カム溝と係合可能に成形されたロッキングバーとを有し、このロッキングバーの長さ方向に沿う複数箇所に、所定の間隔で、ロッキングバーを厚さ方向に貫通する磁石保持穴を形成し、一方、内筒に、収納溝に近接して軸線に平行な鍵孔を形成し、また、収納溝に関し鍵孔とは反対側における内筒部分に、夫々磁石保持穴と整合して連通する有底の退避穴を形成し、この磁石保持穴及び退避穴の組の夫々に、ロッキングバーの厚さ方向に着磁され、磁石保持穴及び退避穴の間に形成されたシアーラインを跨ぐ磁石タンブラーピンと、これをロッキングバー方向に付勢するタンブラーばねとを嵌挿し、他方、鍵孔に挿入されたとき磁石タンブラーピンと整合する合鍵の部分に、磁石タンブラーピンと同方向に着磁され、磁石タンブラーピンとは同極で対峙する磁石ピンを埋設し、加えて、磁石保持穴及び退避穴の組の少なくとも一つに、ロッキングバーの厚さと同じ長さのアンチピッキング磁石、アンチピッキングピン及びこれらをロッキングバー方向に付勢するアンチピッキングばねを嵌挿し、このアンチピッキング磁石に対応する合鍵の部分にダミー磁石を埋設したことを特徴とする。
【発明の効果】
【０００９】
上記のように構成された請求項１に記載の発明による磁石ピンシリンダ錠は、ロッキングバーに形成した磁石保持穴及びこれと整合する退避穴を移動する磁石タンブラーピンが、施錠時直接ロッキングバーを係止し、解錠時退避穴に進入してロッキングバーを解放する形式であるから、前記特許文献１に記載の磁石タンブラー錠のように内筒に形成したスロットにタンブラーを設け、このタンブラーに永久磁石を装着する必要がなく、構成が非常に簡単になる。
【００１０】
また、ロッキングバーを係止する磁石タンブラーピンは磁石保持穴に移動可能に嵌合しており、合鍵の磁石ピンとの間の磁気反発力により直接駆動されるので、特許文献１に記載のタンブラーと一体に移動する必要がなく、摩擦抵抗が小さくて作動が確実である。
【００１１】
更にまた、請求項２に記載の発明によれば、ピッキングの目的で検磁素子を鍵孔中に挿入し、アンチピッキング磁石の極性を検知して不法に合鍵を作っても、そのアンチピッキング磁石に対応する磁石ピンによってアンチピッキング磁石がシアーラインに跨がってしまうので、ピッキングが不可能になる、という別の利点が生じる。
【発明を実施するための最良の形態】
【００１２】
外筒に対する内筒の相対回動時、外筒のカム溝と内筒に保持されたロッキングバーとの間の楔作用によりロッキングバーが内筒中心軸方向に押動されるというレバータンブラー錠の作動原理を応用し、ロッキングバーを磁石タンブラーピンで係止して合鍵の磁石ピンにより制御するようにしたから、簡単な構成で作動が確実な磁石ピンシリンダ錠を得ることができた。
【実施例１】
【００１３】
以下、この発明の実施例を図面を参照して説明する。
図１において符号１は外筒を示し、この外筒１の内周面には、その中心軸を挟んで対称的な角度位置に、夫々断面がＶ字形のカム溝２が形成されている。
【００１４】
この外筒１の内側には、内筒３が回動可能に嵌合している。但し、図示の実施例では、この内筒３は３つのブロックからなり、その間に後述するロッキングバー４、４を挟んだ構造である。
【００１５】
すなわち、上記内筒３は、鍵孔５を長さ方向に沿って貫通させた全体の形状が蒲鉾形の第１ブロック６と、図１においてロッキングバー４、４の下方に配設された断面略台形の第２ブロック７（図２参照）及び第２ブロック７の下方に配設されてこれに結合される蓋ブロック８とを有している。
【００１６】
そして、第２ブロック７と蓋ブロック８とは一体的に結合されているが、第１ブロック５、ロッキングバー４、４及び第２ブロック７と蓋ブロック８とを結合したものは、外筒１に拘束された態様ではあるが、軸線方向（図１で紙面方向）の動きを拘束された状態で、相互に独立して延在している。
【００１７】
上記第１ブロック６及び第２ブロック７の間の間隙は、図示の実施例ではロッキングバー４によって保たれているが、前記収納溝９に対応している。
【００１８】
というのは、図示の実施例では、内筒３に２個のロッキングバー４、４を収納するように設計したので収納溝９、９が繋がってしまい、したがって第１及び第２ブロック６、７が別部材になってしまったのだが、ロッキングバー４が１個である場合、収納溝９は内筒の母線に沿う半径方向に深い溝になるはずだからである。
【００１９】
収納溝９に収納されているロッキングバー４、４は、図１及び図３に示すように、内筒３の母線に沿って延在する細長くて厚い板状体で、収納溝９内で半径方向（図１で左右方向）に移動可能に案内されると共に、圧縮コイルばねとしてのロッキングバーばね１１（図１参照）の弾力により、外方、すなわち前記カム溝２と係合する方向に付勢されている。
【００２０】
また、ロッキングバー４の外側端縁は、外筒のＶ字形のカム溝と係合できるように、断面山形に成形されている。
【００２１】
更にまた、各ロッキングバー４には、その長さ方向に沿う複数箇所に、所定の間隔で、例えば円形の磁石保持穴１２、１２（図３参照）がロッキングバー４を厚さ方向に貫通するように形成されている。
【００２２】
一方、第２ブロック７のロッキングバー４と接合する上面の、上記磁石保持穴１２と整合する部分には、例えば磁石保持穴１２と同形で有底の退避穴１３、１３が形成されている。
【００２３】
なお、図示の実施例における退避穴１３の底面は、蓋ブロック８（図２参照）の上面となっている。
【００２４】
これら磁石保持穴１２及び退避穴１３の組の夫々に、ロッキングバー４の厚さ方向に着磁された短円筒形の磁石タンブラーピン１４（図４参照）と、圧縮コイルばねとしてのタンブラーばね１５とが夫々嵌挿されている。
【００２５】
上記磁石タンブラーピン１４の長さはロッキングバー４の厚さより長く設定されており、したがって、図１に示すように鍵孔５に合鍵が挿入されていないときには、磁石タンブラーピン１４は磁石保持穴１２及び退避穴１３の間に形成された付番しないシアーラインを跨ぐ（図１参照）。
【００２６】
他方、図４に示すように、内筒の鍵孔５に挿入された合鍵１６の磁石タンブラーピン１４と整合する部分には、磁石タンブラーピン１４と同方向、すなわち、ロッキングバー４の厚さ方向に着磁され、磁石タンブラーピン１４とは同極で対峙する磁石ピン１７が埋設されている。
【００２７】
上記のように構成された請求項１に記載の発明の一実施例による磁石ピンシリンダ錠は、図１に示すように鍵孔５に合鍵を挿入しないで内筒を回動させた場合、或いは異鍵を鍵孔５に挿入した場合には、複数の磁石タンブラーピン１４、１４の少なくとも１個が異磁極の磁石ピンに吸引されて図１に示すようにシアーラインに跨がるから、内筒３は回動することができない。すなわち、この磁石ピンシリンダ錠を解錠することができない。
【００２８】
一方、図４に示すように鍵孔５に合鍵１６が挿入された場合には、全磁石タンブラーピンと全磁石ピンとは相互に同極で対峙するから、図４に示すように、全磁石タンブラーピン１４、１４はタンブラーばね１５の弾力に抗して退避穴１３中に進入し、磁石タンブラーピン１４はシアーラインに跨がらなくなる。
【００２９】
したがって、ロッキングバー４は磁石タンブラーピン１４、１４から解放されるので、合鍵の図示しない摘みを介して内筒を時計方向に回動させれば、図５に示すように、ロッキングバーの外側端縁とカム溝２との間に生じる楔作用により、ロッキングバー４はロッキングバーばね１１の弾力に抗して内筒中心軸線方向に移動し、やがてカム溝２から脱出するので、内筒３は回動できるようになる。換言すれば、この磁石ピンシリンダ錠は解錠される。
【００３０】
上記したように、磁石タンブラーピン１４は磁石ピン１７との間の磁気反発力を介して駆動されるので、鍵穴５のロッキングバー４に対向する側の隔壁は薄くするのが望ましい。
【００３１】
なお、図５において、符号１８は第１ブロックの少なくとも１ヵ所に形成された係合穴を、符号１９は外筒１の内周面においてこの係合穴１８に係合可能に臨むと共に係合穴１８と係合する方向に付勢された磁石係止ピンを夫々示し、この磁石係止ピン１９は、図１に示すように合鍵が鍵孔に挿入されていない場合、係合穴１８と係合して内筒３を二重に外筒に係止する。
【００３２】
しかしながら、図４に示すように合鍵１６が鍵孔に挿入されると、磁石係止ピン１９と同極で対峙する解除磁石ピン２１が磁気反発力によって磁石係止ピン１９と係合穴１８との係合を解く。
【００３３】
この磁石係止ピン１９を設けた理由は、この磁石ピンシリンダ錠に振動を与えて磁石タンブラーピン１４を磁石保持穴１２中で踊らせ、機械的に磁石タンブラーピン１４、１４を退避穴１３中に移動させての不正解錠を防止するためで、そのため磁石係止ピン１８の付勢方向を磁石タンブラーピンのそれと反対方向にしてあるが、この磁石係止ピンはこの発明の必須の構成要件ではない。
【実施例２】
【００３４】
図６は請求項２に記載の発明の一実施例を示し、この図において符号２２はアンチピッキング磁石を、符号２３はアンチピッキングピンを、符号２４はアンチピッキングばねを夫々示し、これらの部材２２〜２４は磁石保持穴１２及び退避穴１３の組の少なくとも一つに嵌挿されている。
【００３５】
上記アンチピッキング磁石２２の長さはロッキングバー４の厚さと同じに設定されているので、図６に示すように鍵孔に合鍵が挿入されていないとき、アンチピッキング磁石２２の下面はシアーラインに揃っている。
【００３６】
そして、図７に示すように、このアンチピッキング磁石２２に対応する合鍵１６の部分には磁石ではないダミー磁石２５が埋設されている。
【００３７】
したがって、図７に示すように鍵孔に合鍵を挿入した場合にはアンチピッキング磁石はシアーラインに揃うので、合鍵を回せば、図８に示すように内筒は外筒１に対し相対的に回動可能になる。換言すれば、合鍵で解錠できる。
【００３８】
しかしながら、検磁素子でアンチピッキング磁石２２の極性を検知し、これに基づいた異鍵２６を鍵孔に挿入すると、図９に示すように、アンチピッキング磁石２２が磁気反発力を受けてシアーラインに跨がるようになり、結局解錠できなくなる。すなわち、ピッキングが不可能になる。
【図面の簡単な説明】
【００３９】
【図１】請求項１に記載の発明による磁石ピンシリンダ錠の線図的断面図で、合鍵を挿入していない状態を示す。
【図２】内筒の第２ブロック及び蓋ブロックの外観斜視図。
【図３】ロッキングバーの一部を示す外観斜視図。
【図４】図１と同様の線図的断面図で、鍵孔に合鍵を挿入した状態を示す。
【図５】図４と同様の線図的断面図で、内筒を回動させた状態を示す。
【図６】請求項１に記載の発明による磁石ピンシリンダ錠の線図的断面図で、合鍵を挿入していない状態を示す。
【図７】図６と同様の線図的断面図で、鍵孔に合鍵を挿入した状態を示す。
【図８】図７と同様の線図的断面図で、内筒を回動させた状態を示す。
【図９】図７と同様の線図的断面図で、鍵孔に異鍵を挿入した状態を示す。
【符号の説明】
【００４０】
１  外筒
２  カム溝
３  内筒
４  ロッキングバー
５  鍵孔
６  第１ブロック
７  第２ブロック
８  蓋ブロック
９  収納溝
１１  ロッキングバーばね
１２  磁石保持穴
１３  退避穴
１４  磁石タンブラーピン
１５  タンブラーばね
１６  合鍵
１７  磁石ピン
１８  係合穴
１９  磁石係止ピン
２１  解除磁石ピン
２２  アンチピッキング磁石
２３  アンチピッキングピン
２４  アンチピッキングばね
２５  ダミー磁石
２６  異鍵
【図１】
0004711799.tif 000002
【図２】
0004711799.tif 000003
【図３】
0004711799.tif 000004
【図４】
0004711799.tif 000005
【図５】
0004711799.tif 000006
【図６】
0004711799.tif 000007
【図７】
0004711799.tif 000008
【図８】
0004711799.tif 000009
【図９】
0004711799.tif 000010